(57)【特許請求の範囲】
【請求項１】
前軸部と後軸部とを接続して軸筒を構成するとともに、前記前軸部に着脱可能にキャップを被せてなる筆記具において、
前軸部の把持部位を円筒状に形成するとともに、後軸部を角筒状に形成し、前記キャップを後軸部の外面にならう角筒状に形成し、
前記軸筒には、前記キャップの開口端部と係合する係脱案内部が設けられ、
この係脱案内部は、その外面が前記キャップの開口端部の内面にならう多角形状に形成され、且つ、軸筒周方向に隣接する略平坦状の二つの面を曲面部によって接続するとともに、この曲面部を、前方へ向かって軸筒中心へ近づく傾斜状に形成していることを特徴とする筆記具。
【請求項２】
前軸部と後軸部とを接続して軸筒を構成するとともに、前記前軸部に着脱可能にキャップを被せてなる筆記具において、
前軸部の把持部位を円筒状に形成するとともに、後軸部を角筒状に形成し、前記キャップを後軸部の外面にならう角筒状に形成し、
前記後軸部の後端側部分と前記キャップ内の底面側部分とを嵌脱可能に形成するとともに、前記後軸部の外面と該後軸部に嵌め合わせられた際の前記キャップの内面との間に、後方へ向かって広くなる隙間を確保するようにしたことを特徴とする筆記具。
【請求項３】
前記後軸部及び前記キャップが、断面略正方形の角筒状であることを特徴とする請求項１又は２記載の筆記具。
【発明の詳細な説明】
【技術分野】
【０００１】
本発明は、着脱可能なキャップによってペン先を保護している筆記具に関するものである。
【背景技術】
【０００２】
従来、この種の筆記具は、特許文献１に記載された発明のように、円筒状の軸筒の前部側に、同円筒状のキャップを覆い被せてペン先を保護するようにしたものが一般的である。
この従来の筆記具によれば、筆記姿勢をとる際には、軸筒の前部側からキャップが外され、このキャップが軸筒の後端側に被せられ、軸筒の前部側の把持部位が、親指、人差し指、中指の三本の指によって三点支持されるとともに、軸筒の後部側に対して人差し指の付け根側の部分が当接する。
【０００３】
ところで、前記のような筆記姿勢を素早くとろうとした場合には、手の中で筆記具が安定し難い、キャップが外れ易い等の問題を生じる場合がある。
より詳細に説明すれば、筆記姿勢をとった際、人差し指の付け根側に当接する軸筒が略円筒状であるため、軸筒が周方向に転動し易く、位置の定まり難い状態となる。
また、前記のような素早い動きに起因して、軸筒後端側に被せられたキャップが、軸筒に相対し周方向へ回転して緩み外れてしまう場合もある。
【特許文献１】特許第２９０６３９１号公報
【発明の開示】
【発明が解決しようとする課題】
【０００４】
本発明は上記従来事情に鑑みてなされたものであり、その課題とする処は、安定した筆記姿勢を素早くとることができる上、軸筒後端側に被せたキャップが外れ難い筆記具を提供することにある。
【課題を解決するための手段】
【０００５】
上記課題を解決するための技術的手段は、前軸部と後軸部とを接続して軸筒を構成するとともに、前記前軸部に着脱可能にキャップを被せてなる筆記具において、前軸部の把持部位を円筒状に形成するとともに、後軸部を角筒状に形成し、前記キャップを後軸部の外面にならう角筒状に形成したことを特徴とする。
【０００６】
更なる技術的手段では、前記後軸部及び前記キャップが、断面略正方形の角筒状であることを特徴とする。
【０００７】
更なる技術的手段では、前記後軸部の後端側部分と前記キャップ内の底面側部分とを嵌脱可能に形成するとともに、前記後軸部の外面と該後軸部に嵌め合わせられた際の前記キャップの内面との間に、後方へ向かって広くなる隙間を確保するようにしたことを特徴とする。
【０００８】
更なる技術的手段では、前記軸筒には、前記キャップの開口端部と係合する係脱案内部が設けられ、この係脱案内部は、その外面が前記キャップの開口端部の内面にならう多角形状に形成され、且つ、軸筒周方向に隣接する略平坦状の二つの面を曲面部によって接続するとともに、この曲面部を、前方へ向かって軸筒中心へ近づく傾斜状に形成していることを特徴とする。
【発明の効果】
【０００９】
本発明は、以上説明したように構成されているので、以下に記載されるような作用効果を奏する。
筆記者に把持されると、円筒状の把持部位が、筆記者の手の親指、人差し指、中指によって三点支持されながら、後軸部の略平坦面状の部分が人差し指の付け根側の部分に当接する。したがって、筆記具を素早く三点支持して筆記姿勢をとることができる上、把持された筆記具が周方向へ転動し難く安定する。
しかも、外したキャップを後軸部に被せた際には、後軸部外面とキャップ内面とが同様の角筒状であるため、キャップが後軸部に相対し周方向へ回って外れてしまうようなことを防止することができる。
よって、安定した筆記姿勢を素早くとることができる上、軸筒後端側に被せたキャップが外れ難い筆記具を提供することができる。
【発明を実施するための最良の形態】
【００１０】
以下、本発明の実施の形態を図面に基づいて説明する。
この筆記具１は、前軸部１１と後軸部１２とを接続してなる軸筒１０と、筆記部２１を前方へ露出させるようにして軸筒１０内に保持されたリフィール２０と、前軸部１１に対し着脱可能に覆い被せられたキャップ３０とを具備し、全体の外観形状が断面略正方形の角筒状に形成されている。
【００１１】
軸筒１０は、前軸部１１と後軸部１２とを、接続部材１３を介して略同軸状に接続してなる。
【００１２】
前軸部１１は、略円筒状に形成され、その前端側には、先細状の先口部１１ａと、後述するキャップ３０に対し嵌脱可能な凹部１１ｂとが設けられる。
凹部１１ｂは、先口部１１ａの後側で軸筒周方向へわたり連続する環状に形成されている。
前軸部１１の後端側部分は、一回り程縮径され、後述する筒状の接続部材１３に挿入されて螺合接続されている。
この前軸部１１における凹部１１ｂよりも後側であって、接続部材１３に挿入される部分よりも前側の部分は、筆記者によって三点支持される把持部位１１ｃとなっている。
【００１３】
把持部位１１ｃは、円筒状に形成され、その外周面には、滑り止めとなる凸模様１１ｃ１が施されている。なお、他例としては、この把持部位１１ｃを弾性材料からなる円筒状のグリップによって構成してもよい。
【００１４】
後軸部１２は、略平坦状の面１２ｃを断面正方形状に配置することで略角筒状に構成される。より詳細に説明すれば、前記面１２ｃは、その横断面が滑らかな凸湾曲状に形成される。そして、略直交して隣接する二つの面１２ｃ，１２ｃは、Ｒ面取り状の曲面１２ｄを介して接続される（図２参照）。
【００１５】
また、後軸部１２の前端側は、後述する接続部材１３の後部側外面に対し被せられ乗り越え嵌合される。
そして、後軸部１２内部の後端側には、軸方向へ延設されるとともに求心方向へ突出する縦リブ１２ｂが設けられる。この縦リブ１２ｂは、周方向に間隔を置くようにして複数設けられる。そして、これら縦リブ１２ｂの前端部は、リフィール２０の後端を前方へ付勢するコイルスプリング４０を受けている。
【００１６】
また、後軸部１２の後端側には、尾栓１２ａが嵌合固定されている。
この尾栓１２ａは、その前部側が後軸部１２内に挿入され嵌合固定される。この尾栓１２ａの露出した後部側には、キャップ３０に対し嵌脱可能な凹部１２ａ１が設けられる。この凹部１２ａ１は、軸筒周方向へわたり連続する環状に形成されている。
【００１７】
また、接続部材１３は、前端側に配置された係脱案内部１３ａと、該係脱案内部１３ａの後側に位置し後軸部１２と略面一に露出される露出部１３ｂと、該露出部１３ｂの後側で後軸部１２を接続する接続部１３ｃとからなる。
この接続部材１３の内面は略円筒状に形成され、その内周面には前軸部１１の後端部を螺合接続するための雌螺子部を有する。
また、前記接続部１３ｃの外周面には後軸部１２を乗り越え嵌合させるための複数の環状凸部を有する。
【００１８】
また、係脱案内部１３ａは、その外面がキャップ３０の開口端部の内面にならう多角形状に形成されるとともに、キャップ３０の開口端部と係合しており、軸筒周方向へ回されたキャップ３０の離脱を容易にする。
図２及び図３に示す一例に基づき詳述すれば、係脱案内部１３ａは、キャップ３０の開口端部内面にならう略正方形状に形成され、軸筒周方向に隣接する略平坦状の二つの面１３ａ１，１３ａ１を凸状の曲面部１３ａ２によって接続している。そして、各曲面部１３ａ２は、前方へ向かって軸筒中心へ近づく傾斜状に形成されている。
【００１９】
また、リフィール２０は、ボールペンチップである筆記部２１や、該筆記部２１へ供給されるインクを保持する中綿２２、該中綿２２のインクを筆記部２１へ導くインク誘導体２３等を具備した中綿式ボールペンリフィールであり、後方側からコイルスプリング４０により押圧されることで、軸筒１０内で移動することのないように固定されている。
【００２０】
キャップ３０は、後軸部１２の後端側部分の外面にならう角筒状であるキャップ本体３１、該キャップ本体３１の前端側内部に固定された嵌脱部材３２、キャップ本体３１の前端開口を塞ぐ栓部材３３、嵌脱部材３２内の前端側に配設されて筆記部２１前端に対し弾性的に当接するシールゴム３４等からなる。
【００２１】
キャップ本体３１は、後軸部１２に対し被せることが可能なように、後軸部１２の後端側部分よりも一回りほど大きい角筒状に形成される。
このキャップ本体３１の内面は、キャップ３０が後述する嵌脱部材３２を介して後軸部１２の後端側に嵌め合わせられた際（図１（ｃ）参照）、後軸部１２の外面との間に、後方へ向かって広くなる隙間ｓを確保するように形成されている。
【００２２】
嵌脱部材３２は、外周面前端側を縮径した略筒状の部材であり、その前端側部分を、キャップ本体３１内前端側に形成されたリブ３１ａの軸筒中心側の空間に対し、後方側から挿入している（図５参照）。
そして、この嵌脱部材３２は、前側部分と後側部分の境目に有する段部３２ｂを、前記リブ３１ａに当接させるとともに、前側部分に形成された凹凸部３２ｃを、後述する栓部材３３に嵌合させることで、軸方向へ不動となるように固定されている。
また、この嵌脱部材３２は、前軸部１１の凹部１１ｂと、尾栓１２ａの凹部１２ａ１との双方に対し嵌脱可能な内向き凸部３２ａを有する。この内向き凸部３２ａは、前記双方の凹部１１ｂ，１２ａ１に対し軸筒軸方向へ嵌脱可能な環状に形成されている。
【００２３】
栓部材３３は、略有底筒状に形成され、その前端側外周面には、キャップ本体３１前端に当接する略四角形状の環状鍔部３３ａを有する。
そして、この栓部材３３の内周面には、前記嵌脱部材３２を軸方向へ乗り越え嵌合させる凹凸部３３ｂを有する。
また、栓部材３３における前記栓部材３３よりも後部側は、略円筒状に形成され、その外周面には、周方向において所定間隔置き（図示例によれば略９０度置き）に、軸筒軸方向へ伸びる凹溝３３ｃ（図５及び４参照）が形成される。
【００２４】
各凹溝３３ｃは、キャップ本体３１内周面の前端側に軸筒軸方向へわたって形成された突条３１ｂと嵌り合う。そして、この嵌り合いにより、栓部材３３がキャップ本体３１に対し周方向へ回動しないようにするとともに、栓部材３３から嵌脱部材３２が抜けてしまうのを防いでいる。
より詳細に説明すれば、軸筒１０の前端側からキャップ３０を抜く際、嵌脱部材３２が栓部材３３から抜ける軸方向の力が作用するが、前記凹溝３３ｃと前記突条３１ｂとの当接により、栓部材３３の拡径が抑制されるため、嵌脱部材３２外周面と栓部材３３内周面との凹凸嵌合状態が維持される。よって、栓部材３３から嵌脱部材３２が抜けてしまうのを防ぐことができる。
また、前記突条３１ｂによりキャップ本体３１の内面を栓部材３３の前端側部分の外周面に対し部分的当接させているため、製造時においては、栓部材３３をキャップ本体３１に組み付ける際の抵抗が比較的小さく、その組立作業性が良好である。
【００２５】
次に、上記構成の筆記具１について、その作用効果を詳細に説明する。
先ず、軸筒１０からキャップ３０を外す際には、図２及び図３（ａ）（ｂ）に示すように、軸筒１０に対しキャップ３０を周方向へ若干回せばよい。
キャップ３０は、回転すると、内面の略平坦状部分３０ａ（図３参照）が、曲面部１３ａ２に乗り上がり、該曲面部１３ａ２に押されるようにして前方へ移動する。そして、この移動によって、キャップ３０内における嵌脱部材３２の内向き凸部３２ａが、軸筒１０前端側の凹部１１ｂから外される。
よって、軸筒１０からキャップ３０を容易に外すことができる。
【００２６】
外されたキャップ３０は、後軸部１２の後端側に対し被せられて、軸方向前方へ押圧される。すると、キャップ３０内における嵌脱部材３２の内向き凸部３２ａが、尾栓１２ａの凹部１２ａ１に嵌り合う。
この装着作業は、後軸部１２の後端側が後方へ向かって細くなってキャップ３０内面との間に隙間ｓを確保しているため、容易に行うことができる。
しかも、前記装着後、キャップ３０内面と後軸部１２外面との間に隙間ｓが確保されるため、キャップ３０の開口端部や内面が後軸部１２外面に当接して後軸部１２外面を損傷してしまうようなことを防止することができる。
【００２７】
また、後軸部１２後部に装着されたキャップ３０は、手や物等に接触したとしても、該キャップ３０の内面と後軸部１２の外面とが、双方とも略正方形状であるため、軸筒１０に対して回転し難く、ひいては、軸筒１０から容易に外れてしまうようなことがない。
【００２８】
また、図４に示すように、筆記者に把持された際には、円筒状の把持部位１１ｃが、筆記者の手の親指、人差し指、中指によって三点支持されながら、後軸部１２の略平坦状の面１２ｃが人差し指の付け根側に当接する。したがって、筆記具１を素早く三点支持して筆記姿勢をとることができる上、把持された筆記具１が周方向へ転動し難く安定する。
【００２９】
なお、図示例によれば、後軸部１２及びキャップ３０を断面略正方形状に形成したが、他例としては、断面三角形状や断面六角形状等の多角形状とすることが可能である。
【００３０】
また、図示例によれば、軸筒１０を前軸部１１、後軸部１２、接続部材１３等からなる複数の部材によって構成したが、他例としては、この軸筒１０を単一の部材により構成することも可能である。
【００３１】
また、図示例の筆記具１は、軸筒内に中綿式ボールペンリフィールを内在したボールペンとしたが、他例としては、軸筒内に液式リフィールを内在したボールペンや、軸筒内にインクを直入れしたボールペン、あるいは、サインペンやシャープペンシル等を構成するようにしてもよい。
【図面の簡単な説明】
【００３２】
【図１】（ａ）は本発明に係る筆記具の縦断面図であり、（ｂ）は同筆記具を周方向へ４５度回転させた状態を示す要部断面図、（ｃ）は同筆記具においてキャップを後軸部に装着した状態を示す要部断面図である。
【図２】同筆記具における接続部材を示す斜視図である。
【図３】図１における（III）−（III）線においてキャップのみを断面とした図であり、（ａ）はキャップが接続部材に嵌り合った状態を示し、（ｂ）はキャップが回されて接続部材の係脱案内部に押し動かされた状態を示す。
【図４】同筆記具が筆記姿勢で把持された状態を示す斜視図である。
【図５】同筆記具の前端側部分を示す要部断面図である。
【図６】図５における（ＶＩ）−（ＶＩ）線に沿う端面図である。
【符号の説明】
【００３３】
１：筆記具                １０：軸筒
１１：前軸部              １１ｃ：把持部位
１２：後軸部              １３：接続部材
１３ａ：係脱案内部        ３０：キャップ
ｓ：隙間
【図１】
0005485511.tif 000002
【図２】
0005485511.tif 000003
【図３】
0005485511.tif 000004
【図４】
0005485511.tif 000005
【図５】
0005485511.tif 000006
【図６】
0005485511.tif 000007